(57)【要約】【課題】両手を使わなくても蓋を閉めることができる潤滑剤用容器を提供する。【解決手段】潤滑剤用容器１は、人体に塗布する潤滑剤を入れる容器本体２と、該容器本体２の上端に固定された蓋体３とからなる。該蓋体３は、前記容器本体２の上端に被着されるベース部４を備え、該ベース部４の上面４１には、該容器本体２内の潤滑剤を吐出する吐出口４３が突設されている。また、該ベース部４の周縁には、上下方向に回動して前記吐出口４３を開放又は被覆する開閉蓋部５が連接されている。【選択図】図２
0003147191.tif 000002
【実用新案登録請求の範囲】
【請求項１】
人体に塗布する潤滑剤を入れる容器本体と、
該容器本体の上端に固定された蓋体と
からなる潤滑剤用容器であって、
該蓋体は、
前記容器本体の上端に被着されるベース部を備え、該ベース部の上面には、該容器本体内の潤滑剤を吐出する吐出口が設けられていると共に、該ベース部の周縁には、上下方向に回動して前記吐出口を開放又は被覆する開閉蓋部が連接されていることを特徴とする潤滑剤用容器。
【請求項２】
前記開閉蓋部と前記ベース部との連接部位のある方を後方とし、前記吐出口のある方を前方とした場合、
該開閉蓋部が該吐出口を被覆する被覆位置にある状態で、該開閉蓋部の前端は該ベース部の前側上端縁より前方に位置するように設定され、
該開閉蓋部の前端が、開閉蓋部を開ける際に押し上げられる手掛かり部とされている請求項１記載の潤滑剤用容器。
【請求項３】
前記吐出口は、前記ベース部の上面の中心よりも該ベース部の周縁寄りに配置されている請求項１又は請求項２記載の潤滑剤用容器。
【請求項４】
前記開閉蓋部は、接続回動部を介して前記ベース部に連接されており、
該接続回動部は、
該開閉蓋部が、被覆位置と、該ベース部の上面に対してほぼ垂直に起立する開放位置との間で変位する過程で、被覆位置寄りの場合に該開閉蓋部を被覆位置方向に付勢し、開放位置寄りの場合に該開放位置方向に付勢するものである請求項１乃至請求項３のいずれか１項に記載の潤滑剤用容器。
【考案の詳細な説明】
【技術分野】
【０００１】
本考案は、人体に塗布する潤滑剤を入れるための潤滑剤用容器に関するものである。
【背景技術】
【０００２】
人体に塗布して使用するマッサージ用の潤滑剤は、すでに提供されている（例えば、特許文献１）。該潤滑剤は、通常、蓋付きの容器（ボトル）に入れられている。そして、一方の手で該容器を掴み、蓋を開けた後、他方の手のひらに該容器内の潤滑剤を適量吐出させて、使用する。  
【０００３】
【特許文献１】特開２００３−１４６８７５号公報
【考案の開示】
【考案が解決しようとする課題】
【０００４】
しかしながら、従来の蓋付き容器にあっては、蓋が容器本体に対して螺着される構造であり、蓋を閉める時には、一方の手で容器本体を掴み、他方の手で蓋を掴んで該蓋を回して閉める必要があった。要は、蓋を閉める作業において、両手を使う必要があった。ここで、該潤滑剤用容器の蓋を閉める状況にあっては、上述のように、片方の手のひらに既に潤滑剤を吐出させていることが多いため、そのままでは直ぐに蓋を閉めることができないという問題があった。
そこで、本考案は、両手を使わずに蓋を閉めることができる潤滑剤用容器を提供するものである。
【課題を解決するための手段】
【０００５】
本考案は、人体に塗布する潤滑剤を入れる容器本体と、該容器本体の上端に固定された蓋体とからなる潤滑剤用容器であって、該蓋体は、前記容器本体の上端に被着されるベース部を備え、該ベース部の上面には、該容器本体内の潤滑剤を吐出する吐出口が設けられていると共に、該ベース部の周縁には、上下方向に回動して前記吐出口を開放又は被覆する開閉蓋部が連接されていることを特徴とする潤滑剤用容器である（請求項１）。
このように、本考案は開閉蓋部を回動式としたため、前記開閉蓋部を閉める場合には、体の一部（例えば、当該容器を掴む手のうち、空いた指でもよい。）を使って該開閉蓋部を上から押さえ込んで、被覆位置とすればよい。このため、片方の手のひらに既に潤滑剤を吐出させていても、両手を使わずに容易に蓋をすることができる。
【０００６】
また、前記開閉蓋部と前記ベース部との連接部位のある方を後方とし、前記吐出口のある方を前方とした場合、該開閉蓋部が該吐出口を被覆する被覆位置にある状態で、該開閉蓋部の前端は該ベース部の前側上端縁より前方に位置するように設定され、該開閉蓋部の前端が、開閉蓋部を開ける際に押し上げられる手掛かり部とされている構成としてもよい（請求項２）。
かかる構成は、前方に突き出た手掛かり部を下から押し上げれば開閉蓋部が上方に回動するため、容易に蓋を開けることができる。
【０００７】
また、前記吐出口は、前記ベース部の上面の中心よりも該ベース部の周縁寄りに配置されていてもよい（請求項３）。
かかる構成とすると、容器本体を逆さにしてあるいは傾けて該吐出口から潤滑剤を流下させようとしたときに、かかる状態の容器において吐出口が下端寄りに位置することになるため、流下する潤滑剤がベース部の上面に付着しにくくなり、吐出口周りが汚れにくい。
【０００８】
また、前記開閉蓋部は、接続回動部を介して前記ベース部に連接されており、該接続回動部は、該開閉蓋部が、被覆位置と、該ベース部の上面に対してほぼ垂直に起立する開放位置との間で変位する過程で、被覆位置寄りの場合に該開閉蓋部を被覆位置方向に付勢し、開放位置寄りの場合に該開放位置方向に付勢するものとしてもよい（請求項４）。
上述のように、開放位置寄りの場合に該開放位置方向に付勢する構成とすると、潤滑剤を吐出する場合に開閉蓋部が自重で閉まってしまうことがなく、使用時に邪魔にならない。一方、被覆位置寄りの場合に該開閉蓋部を被覆位置方向に付勢する構成とすると、小さな力で開閉蓋部を押し下げるだけで迅速かつ容易に被覆位置とすることができる。
【考案の効果】
【０００９】
本考案に係る潤滑剤用容器は、両手を使わずに開閉蓋部を閉めることができる優れた効果がある。
【考案を実施するための最良の形態】
【００１０】
本考案に係る潤滑剤用容器の実施例を添付図面に従って説明する。なお、該潤滑剤は、人体に塗布されるものであり、主にマッサージ用に供される。
【００１１】
図１等に示すように、潤滑剤用容器１は、潤滑剤が入れられるほぼ円柱状の容器本体２と、該容器本体２の上端に固定されるほぼドーム状の蓋体３とで構成される。なお、潤滑剤用容器１の側方を示す図１において、左方を、潤滑剤用容器１の前方とし、右方を後方とする。
【００１２】
前記蓋体３は、合成樹脂材料からなり、下側のベース部４と上側の開閉蓋部５とで構成されている。
該ベース部４は、前記容器本体２の上端に螺着され、該容器本体２の上端開口を被覆している。また、図２，３に示すように、該ベース部４の上面４１には、上方に突き出された吐出口４３が設けられている。したがって、容器本体２を逆さにしたり傾けたりすると該吐出口４３から容器本体２内の潤滑剤が吐出する。なお、該吐出口４３は、図１，３に示すように、該ベース部４の上面４１を前後に分ける中央線ＣＬより前方に配置され、前記ベース部４の上面４１の中心よりも該ベース部４の周縁寄りに設定されている。
【００１３】
前記開閉蓋部５は、伏椀形とされ、その一端がベース部４の後端縁に、接続回動部１０を介して回動自在に接続されている。これにより、該開閉蓋部５は、上下に回動して、ベース部４（すなわち吐出口４３）を被覆する被覆位置Ｐと、ベース部４の上面４１に対して起立する開放位置Ｑとに変位する。また、該開閉蓋部５の内周面には、被覆位置Ｐの状態で吐出口４３に内嵌する吐出口内嵌突部５１が突設されている。該吐出口内嵌突部５１が吐出口４３に内嵌すると、該吐出口４３を介して潤滑剤が開閉蓋部５内に漏れ出すことがない。なお、該吐出口４３と該吐出口内嵌突部５１とには、開閉蓋部５が被覆位置Ｐとされた際に互いに係合する係合構造（図示省略）が施されている。
【００１４】
また、図４等に示すように、開閉蓋部５の前端には、手掛かり部５ａが設けられている。具体的に説明すると、前記ベース部４の前面であってその上端縁を含む部位には、切欠凹部４２が形成されており、該開閉蓋部５の前端が、被覆位置Ｐにある状態で該ベース部４の前側上端縁より前方へ突き出されるように寸法設定されている。かかる構成により、該開閉蓋部５の前端（手掛かり部５ａ）は、下から押し上げやすいものとされている。
【００１５】
次に、前記接続回動部１０について説明する。
該接続回動部１０は、図１，５に示すように、横方向に並んだ３つの接続部からなり、中央に配された長尺の中央接続部１０ａと、該中央接続部１０ａの両側に配された短尺の外側接続部１０ｂとで構成されている。
前記外側接続部１０ｂは、ベース部４と開閉蓋部５とを回動自在に連結する役割を果たす。一方、前記中央接続部１０ａは、ベース部４と開閉蓋部５とを連結させる役割のほか、開閉蓋部５の開閉時に伴う弾性変形により（図１，２参照）、該開閉蓋部５の遮蔽時あるいは開放時に該開閉蓋部５の回動方向に沿って適宜の付勢力を発生させる役割を果たす。すなわち、該開閉蓋部５は、被覆位置Ｐと開放位置Ｑとの間で変位する過程で、被覆位置Ｐ寄りに位置するときに被覆位置Ｐ方向に付勢され、これに対し開放位置Ｑ寄りに位置するときに該開放位置Ｑ方向に付勢される。
【００１６】
そして、上記構成の潤滑剤用容器１内の潤滑剤を使用するときは、まず前記開閉蓋部５の手掛かり部５ａを指などで押し上げて開閉蓋部５とベース部４の係合状態を解除しつつ、該開閉蓋部５を開放位置Ｑとする。そうすると、吐出口４３が開放される。なお、該開閉蓋部５は、前記接続回動部１０の機能により、該開放位置Ｑに保持される。そして、一方の手で容器本体２を掴み、他方の手のひらに前記吐出口４３から潤滑剤を吐出させる。所望量の潤滑剤が得られたら、開放位置Ｑにある開閉蓋部５の頭頂などを、体の一部（例えば、容器本体２を掴む手の指以外の指でもよい）等で押圧しながら接続回動部１０を中心に開閉蓋部５を押し下げて、被覆位置Ｐとする。このように、本潤滑剤用容器１は、開閉蓋部５を回動式としたため、両手を使わなくても閉めることができる。
【００１７】
なお、本考案は、その要旨の範囲内で適宜変更可能であり、上記実施例に限定されない。
【図面の簡単な説明】
【００１８】
【図１】潤滑剤用容器の遮蔽状態を示す一部切欠側断面図
【図２】潤滑剤用容器の開放状態を示す部分側面図
【図３】ベース部の上面を示す平面図
【図４】潤滑剤用容器の部分正面図
【図５】潤滑剤用容器の部分背面図
【符号の説明】
【００１９】
１  潤滑剤用容器
２  容器本体
３  蓋体
４  ベース部
５  開閉蓋部
５ａ  手掛かり部
１０  接続回動部
４１  上面
４３  吐出口
Ｐ  被覆位置
Ｑ  開放位置
【図１】
0003147191.tif 000003
【図２】
0003147191.tif 000004
【図３】
0003147191.tif 000005
【図４】
0003147191.tif 000006
【図５】
0003147191.tif 000007